(57)【要約】      （修正有）【課題】除湿運転におけるサーモオフ中の湿気戻りを抑制する空気調和装置を提供する。【解決手段】吹出口８２ａ、８２ｂと吸込口とを筐体内で接続する通風経路９０は、一端が第１吹出口８２ａに接続される第１吹出経路９２ａと、一端が第２吹出口８２ｂに接続される第２吹出経路９２ｂと、一端が吸込口に接続され他端が第１吹出経路９２ａの他端と第２吹出経路９２ｂの他端と接続される吸込経路９１とによって構成され、第１吹出経路９２ａに第１室内熱交換器５１ａが、第２吹出経路９２ｂに第２室内熱交換器５１ｂがそれぞれ設けられ、除湿運転時、第１室内熱交換器５１ａには冷媒を流さず、圧縮機が停止するサーモオフ状態中は第２吹出口８２ｂから空気が吹出されないようにする。【選択図】図４
2017155953.tif 000002
【特許請求の範囲】
【請求項１】
第１吹出口と第２吹出口とを有する吹出口と、吸込口と、
前記吹出口と前記吸込口とを筐体内で接続する通風経路と、
前記通風経路に設けられた送風ファンおよび熱交換器と、を有する室内機を備えた空気調和装置であって、
前記通風経路は一端が吸込口に接続される吸込経路と、一端が第１吹出口に接続される第１吹出経路と、一端が第２吹出口に接続される第２吹出経路とを有し、
前記熱交換器は、前記第１吹出経路に設けられる第１熱交換器と、前記第２吹出経路に設けられる第２熱交換器とを有し、
前記吸込経路の他端は、前記第１吹出経路の他端と前記第２吹出経路の他端とそれぞれ接続し、
前記空気調和装置の除湿運転時、第１熱交換器には冷媒を流さず、
前記空気調和装置の圧縮機が停止するサーモオフ状態中は前記第２吹出口から空気が吹出されないようにすることを特徴とする空気調和装置。
【請求項２】
前記第１吹出口と前記第２吹出口にはそれぞれ開閉手段が設けられており、前記サーモオフ状態中は、前記第１吹出口に対応する前記開閉手段により前記第１吹出口を開放し、前記第２吹出口に対応する前記開閉手段により前記第２吹出口を閉塞することを特徴とする請求項１に記載の空気調和装置。
【請求項３】
前記第１熱交換器と前記第２熱交換器を切り替える切替手段を有することを特徴とする請求項１又は２に記載の空気調和装置。
【発明の詳細な説明】
【技術分野】
【０００１】
本発明は、除湿運転時にサーモオフ状態となった場合に湿気戻りを抑制する空気調和装置に関する。
【背景技術】
【０００２】
空気調和装置の除湿運転は、室温の低下を抑えつつ湿度を下げることで快適性を向上させる。除湿運転には、再熱除湿と弱冷房除湿の２つの方式がある。再熱除湿は、室内機が備える熱交換器に、空気を除湿する蒸発器としての機能と空気を加熱する凝縮器としての機能の両方を持たせる運転である。一方、弱冷房除湿は、熱交換器全体を使って空気を除湿する運転である。再熱除湿は、弱冷房除湿と比べて室温低下を抑えられる。しかし、熱交換器の全体を使って空気を除湿できない。そのため、除湿量を上げるために冷媒循環量を弱冷房除湿よりも大きくする必要がある。それによって、消費電力も大きくなる。一方、空気を加熱しない弱冷房除湿は、再熱除湿と比べて室温低下が大きい。しかし、弱冷房除湿は熱交換器全体を使って空気を除湿できる。そのため、冷媒循環量が再熱除湿よりも少なくて済む。それによって、消費電力を小さくすることができる。
【０００３】
弱冷房除湿は、低能力の冷房運転であり、室温が目標温度となるように運転する。室温が目標温度以下になると、圧縮機を停止してサーモオフ状態となる。サーモオフ状態になると除湿が行われなくなるが、室温が目標温度を超えたら再び圧縮機を起動して除湿を再開する。室温を検出する室温センサは通常、室内機の吸込口に設けられており、サーモオフ状態の時でも当該室温センサが正確な室温を検出するために室内ファンを駆動させておく必要がある。
【０００４】
そのため、除湿中に熱交換器に付着した水分がサーモオフ状態のときに気化し、室内ファンの気流に乗って室内空間に吹出されてしまい、室内湿度が上昇しユーザが不快に感じるという問題（以下、湿気戻りと呼ぶ）がある。この湿気戻りを解決する為に、熱交換器に多量の水分が付着しているときに室内ファンの回転数を低減させて水分を含んだ空気の吹出し量を抑制するものがある（例えば、特許文献１）。しかし、室内ファンの回転数を低減させて風量を抑えたとしても、多量の水分が付着している熱交換器を通過しているので、湿気戻りを解決できているとは言い難い。
【先行技術文献】
【特許文献】
【０００５】
【特許文献１】特開２００８−０３９３３３号公報
【発明の概要】
【発明が解決しようとする課題】
【０００６】
本発明は以上述べた問題点を解決するものであって、除湿運転におけるサーモオフ中の湿気戻りを抑制する空気調和装置を提供することを目的とする。
【課題を解決するための手段】
【０００７】
上記の課題を解決するために、本発明の空気調和装置は、第１吹出口と第２吹出口とを有する吹出口と、吸込口と、前記吹出口と前記吸込口とを筐体内で接続する通風経路と、前記通風経路に設けられた送風ファンおよび熱交換器と、を有する室内機を備えた空気調和装置であって、前記通風経路は一端が吸込口に接続される吸込経路と、一端が第１吹出口に接続される第１吹出経路と、一端が第２吹出口に接続される第２吹出経路とを有し、前記熱交換器は、前記第１吹出経路に設けられる第１熱交換器と、前記第２吹出経路に設けられる第２熱交換器とを有し、前記吸込経路の他端は、前記第１吹出経路の他端と前記第２吹出経路の他端とそれぞれ接続し、前記空気調和装置の除湿運転時、第１熱交換器には冷媒を流さず、前記空気調和装置の圧縮機が停止するサーモオフ状態中は前記第２吹出口から空気が吹出されないようにすることを特徴とする。
【０００８】
また、好ましくは、前記第１吹出口と前記第２吹出口にはそれぞれ開閉手段が設けられており、前記サーモオフ状態中は、前記第１吹出口に対応する前記開閉手段により前記第１吹出口を開放し、前記第２吹出口に対応する前記開閉手段により前記第２吹出口を閉塞する。
【０００９】
また、好ましくは、前記第１熱交換器と前記第２熱交換器を切り替える切替手段を有する。
【発明の効果】
【００１０】
上記のように構成した本発明の空気調和装置によれば、除湿運転におけるサーモオフ中の湿気戻りを抑制できる。
【図面の簡単な説明】
【００１１】
【図１】本発明の実施形態である空気調和装置の冷媒回路図である。
【図２】本発明の実施形態である空気調和装置の室外機制御手段および室内機制御手段のブロック図である。
【図３】本発明の実施形態における、室内機の説明図であり、（Ａ）が平面図、（Ｂ）が内部概略図である。
【図４】本発明の実施形態における、室内機の説明図であり、（Ａ）が除湿運転時の室内機の内部概略図、（Ｂ）がサーモオフ状態中の室内機の内部概略図である。
【図５】本発明の実施形態における、室外機制御手段での処理を説明するフローチャートである。
【図６】本発明の他の実施形態における、室内機の説明図であり、（Ａ）が平面図、（Ｂ）がＡ−Ａ’断面図である。
【発明を実施するための形態】
【００１２】
以下、本発明の実施の形態を、添付図面に基づいて詳細に説明する。尚、本発明は以下の実施形態に限定されることはなく、本発明の主旨を逸脱しない範囲で種々変形することが可能である。
【実施例】
【００１３】
図１に示すように、本実施形態における空気調和装置１は、室外機２と、室外機２に液管８およびガス管９で接続された室内機５とを備えている。
【００１４】
上記各構成要素は次のように接続されている。液管８の一端が室外機２の液側閉鎖弁２８に、他端が室内機５の閉鎖弁５３にそれぞれ接続されている。また、ガス管９は一端が室外機２のガス側閉鎖弁２９に、他端が室内機５の閉鎖弁５４に接続されている。このように、室外機２と室内機５とが液管８およびガス管９で接続されて、空気調和装置１の冷媒回路１０が構成されている。
【００１５】
まず、図１を用いて、室外機２について説明する。室外機２は、圧縮機２１と、四方弁２２と、室外熱交換器２３と、室外膨張弁２４と、室外ファン２７と、一端に液管８が接続された閉鎖弁２８と、一端にガス管が接続されたガス側閉鎖弁２９と、室外機制御手段２００とを備えている。そして、室外ファン２７および室外機制御手段２００を除くこれら各装置が以下で詳述する各冷媒配管で相互に接続されて、冷媒回路１０の一部をなす室外機冷媒回路２０を構成している。
【００１６】
圧縮機２１は、インバータにより回転数が制御される図示しないモータによって駆動されることで運転容量を可変できる能力可変型圧縮機である。圧縮機２１の冷媒吐出側は、後述する四方弁２２のポートａと吐出管４１で接続されている。また、圧縮機２１の冷媒吸入側は、後述する四方弁２２のポートｃと吸入管４２で接続されている。
【００１７】
四方弁２２は、冷媒の流れる方向を切り換えるための弁であり、ａ、ｂ、ｃ、ｄの４つのポートを備えている。ポートａは、圧縮機２１の冷媒吐出側と吐出管４１で接続されている。ポートｄは、室外熱交換器２３の一方の冷媒出入口と冷媒配管４３で接続されている。ポートｃは、圧縮機２１の冷媒吸入側と吸入管４２で接続されている。そして、ポートｂは、ガス側閉鎖弁２９と室外機ガス管４４で接続されている。
【００１８】
室外熱交換器２３は、後述する室外ファン２７の回転により図示しない吸込口から室外機２の内部に取り込まれた外気と冷媒とを熱交換させるものである。室外熱交換器２３の一方の冷媒出入口は上述したように冷媒配管４３で四方弁２２のポートｄに接続され、他方の冷媒出入口には室外機液管４５の一端が接続されている。室外熱交換器２３は、冷媒回路１０が冷房サイクルとなる場合は凝縮器として機能し、冷媒回路１０が暖房サイクルとなる場合は蒸発器として機能する。
【００１９】
室外機液管４５の他端は、液側閉鎖弁２８と接続されている。
【００２０】
室外機液管４５には、室外膨張弁２４が設けられている。室外膨張弁２４は、電子膨張弁である。室外膨張弁２４の開度を調節することで、後述する室内機５の室内熱交換器５１ａ〜５１ｂを流れる冷媒量を調節する。
【００２１】
室外ファン２７は、樹脂材で形成されており、室外熱交換器２３の近傍に配置されている。室外ファン２７は、図示しないファンモータによって回転することで、図示しない吸込口から室外機２の内部へ外気を取り込み、室外熱交換器２３において冷媒と熱交換した外気を図示しない吹出口から室外機２の外部へ放出する。
【００２２】
以上説明した構成の他に、室外機２には各種のセンサが設けられている。図１（Ａ）に示すように、吐出管４１には、圧縮機２１から吐出される冷媒の温度である吐出温度を検出する吐出温度センサ３３が設けられている。吸入管４２には、圧縮機２１に吸入される冷媒の温度である吸入温度を検出する吸入温度センサ３４が設けられている。室外熱交換器２３には、室外熱交換器２３の温度を検出する室外熱交温度センサ３５が設けられている。
【００２３】
室外機液管４５における、室外膨張弁２４と液側閉鎖弁２８との間には、この間の室外機液管４５を流れる冷媒の温度を検出する液温度センサ３８が設けられている。そして、室外機２の図示しない吸込口付近には、室外機２内に流入する外気の温度、すなわち外気温度を検出する外気温度センサ１００が備えられている。
【００２４】
また、室外機２には、室外機制御手段２００が備えられている。室外機制御手段２００は、室外機２の図示しない電装品箱に格納された制御基板に搭載されており、図２に示すように、ＣＰＵ２１０と、記憶部２２０と、通信部２３０とを備えている。
【００２５】
記憶部２２０は、ＲＯＭやＲＡＭで構成されており、室外機２の制御プログラムや各種センサからの検出信号に対応した検出値、圧縮機２１や室外ファン２７の制御状態、後述する各種テーブル等を記憶する。通信部２３０は、室内機５との通信を行うインターフェイスである。
【００２６】
ＣＰＵ２１０は、各種センサでの検出値を取り込むとともに、室内機５から送信される運転開始／停止信号や運転情報（設定温度や室内温度等）を含んだ運転情報信号が通信部２３０を介して入力される。ＣＰＵ２１０は、これら取り込んだ各種検出値や入力された各種情報に基づいて、室外膨張弁２４の開度制御や、圧縮機２１や室外ファン２７の駆動制御、四方弁２２の切り換え制御を行う。
【００２７】
次に、室内機５について説明する。室内機５は、第1室内熱交換器５１ａと第２室内熱交換器５１ｂと、液管８の他端が接続された液側閉鎖弁５３およびガス管９の他端が接続されたガス側閉鎖弁５４と、室内ファン５５と、室内機制御手段５００とを備えている。そして、室内ファン５５および室内機制御手段５００を除くこれら各装置が以下で詳述する各冷媒配管で相互に接続されて、冷媒回路１０の一部をなす室内機冷媒回路５０を構成している。
【００２８】
第１室内熱交換器５１ａと第２室内熱交換器５１ｂは、後述する室内ファン５５の回転により室内機５に備えられた図３（Ａ）に示す吸込口８１から室内機５の内部に取り込まれた室内空気と冷媒とを熱交換させるものである。第１室内熱交換器５１ａは、一方の冷媒出入口が液側閉鎖弁５３に第１液分管７３ａと室内機液管７１を介して接続され、他方の冷媒出入口がガス側閉鎖弁５４に第１ガス分管７４ａと室内機ガス管７２を介して接続されている。第２室内熱交換器５１ｂは、一方の冷媒出入口が液側閉鎖弁５３に第２液分管７３ｂと室内機液管７１を介して接続され、他方の冷媒出入口がガス側閉鎖弁５４に第２ガス分管７４ｂと室内機ガス管７２を介して接続されている。第１室内熱交換器５１ａと第２室内熱交換器５１ｂは、室内機５が冷房運転を行う場合は蒸発器として機能し、室内機５ａが暖房運転を行う場合は凝縮器として機能する。また、第１液分管７３ａには電磁弁５７ａが、第２液分管７３ｂには電磁弁５７ｂが、第１ガス分管７４ａには電磁弁５６ａが、第２ガス分管７４ｂには電磁弁５６ｂがそれぞれ設けられている。電磁弁５６ａ〜５６ｂ、５７ａ〜５７ｂは、後述する除湿運転時には一部の電磁弁が閉じられるように制御されるが、それ以外では開いた姿勢で維持されている。
【００２９】
室内ファン５５は、第１室内熱交換器５１ａと第２室内熱交換器５１ｂの近傍に配置される樹脂材で形成されたターボファンであり、図示しないファンモータによって回転することで、吸込口８１から室内機５の内部に室内空気を取り込み、第１室内熱交換器５１ａと第２室内熱交換器５１ｂにおいて冷媒と熱交換した室内空気を図３（Ａ）に示す吹出口８２ａ、８２ｂから室内へ供給する。
【００３０】
以上説明した構成の他に、室内機５には各種のセンサが設けられている。第１室内熱交換器５１ａには、第１室内熱交換器５１ａの温度を検出する第１室内熱交温度センサ６１ａが設けられている。第２室内熱交換器５１ｂには、第２室内熱交換器５１ｂの温度を検出する第２室内熱交温度センサ６１ｂが設けられている。また、室内機５の図３（Ａ）に示す吸込口８１付近には、室内機５内に流入する室内空気の温度、すなわち室内温度を検出する室内温度センサ６２が備えられている。
【００３１】
また、図３（Ａ）に示すように、室内機５は天井埋め込み型の室内機である。室内機５は、設置後に室内空間に面する筐体パネル８０を有する。筐体パネル８０は、中央に吸込口８１が設けられ、吸込口８１の周囲には４つの吹出口が設けられている。吹出口は、図３（Ａ）における吸込口８１の右側と下側の２ヵ所の吹出口で構成される第１吹出口８２ａと、図３（Ａ）における吸込口８１の左側と上側の２ヵ所の吹出口で構成される第２吹出口８２ｂとからなる。第１吹出口８２ａには、第１吹出口８２ａから吹出された空気の風向調節や、第１吹出口８２ａの開閉を行う第１風向板８３ａが設けられている。第２吹出口８２ｂには、第２吹出口８２ｂから吹出された空気の風向調節や、第２吹出口８２ｂの開閉を行う第２風向板８３ｂが設けられている。
【００３２】
室内機５は、図３（Ａ）に示す状態から筐体パネル８０や図示しないドレンパン、ベルマウス等を取り外すと、図３（Ｂ）に示す状態になる。尚、図中の破線枠は、投影面を示している。図３（Ｂ）に示すように、室内機５の内部には、吸込口８１と第１吹出口８２ａおよび第２吹出口８２ｂのそれぞれとを筐体内で接続する通風経路９０を有する。通風経路９０は、吸込経路９１と第１吹出経路９２ａと第２吹出経路９２ｂからなる。
【００３３】
吸込経路９１は、一端が吸込口８１と接続されており、他端は第１吹出経路９２ａの一端と第２吹出経路９２ｂの一端が各々接続されている。また、第１吹出経路９２ａの他端は第１吹出口８２ａと接続されており、第２吹出経路９２ｂの他端は第２吹出口８２ｂと接続されている。
【００３４】
吸込経路９１には、吸込口８０の投影面上に室内ファン５５が設けられている。吸込口８１から吸込まれ吸込経路９１に流入した室内空気は、室内ファン５５に取り込まれて遠心方向に流れて第１吹出経路９２ａおよび第２吹出経路９２ｂにそれぞれ流入する。
【００３５】
第１吹出経路９２ａには、第１室内熱交換器５１ａが設けられている。第１吹出経路９２ａに流入した空気は、第１室内熱交換器５１ａを通過して第１吹出口８２ａから室内空間へ吹き出される。また、第２吹出経路９２ｂには、第２室内熱交換器５１ｂが設けられている。第２吹出経路９２ｂに流入した空気は、第２室内熱交換器５１ｂを通過して第２吹出口８２ｂから室内空間へ吹き出される。
【００３６】
また、室内機５には、室内機制御手段５００が備えられている。制御手段５００は、室内機５の図示しない電装品箱に格納された制御基板に搭載されており、図２に示すように、ＣＰＵ５１０と、記憶部５２０と、通信部５３０とを備えている。
【００３７】
記憶部５２０は、ＲＯＭやＲＡＭで構成されており、室内機５の制御プログラムや各種センサからの検出信号に対応した検出値、使用者による空調運転に関する設定情報等を記憶する。通信部５３０は、室外機２との通信を行うインターフェイスである。
【００３８】
ＣＰＵ５１０は、各種センサでの検出値を取り込むとともに、使用者が図示しないリモコンを操作して設定した運転条件やタイマー運転設定等を含んだ信号が図示しないリモコン受光部を介して入力される。ＣＰＵ５１０は、これら取り込んだ各種検出値や入力された各種情報に基づいて室内ファン５５や風向板８３ａ〜８３ｂ、電磁弁５６ａ〜５６ｂ、５７ａ〜５７ｂの駆動制御を行う。また、ＣＰＵ５１０は、運転開始／停止信号や運転情報（設定温度や室内温度等）を含んだ運転情報信号を、通信部５３０を介して室外機２に送信する。
【００３９】
次に、本実施形態における空気調和装置１の空調運転時の冷媒回路１０における冷媒の流れや各部の動作について、図１（Ａ）を用いて説明する。尚、以下の説明では、室内機５が冷房運転を行う場合について説明し、暖房運転を行う場合については詳細な説明を省略する。また、図１（Ａ）における矢印は、暖房運転時の冷媒の流れを示している。
【００４０】
図１（Ａ）に示すように、室内機５が冷房運転を行う場合、つまり、冷媒回路１０が冷房サイクルとなる場合は、室外機２では、四方弁２２が実線で示す状態、すなわち、四方弁２２のポートａとポートｄとが連通するよう、また、ポートｂとポートｃとが連通するよう、切り換えられる。これにより、室外熱交換器２３が凝縮器として機能するとともに、第１室内熱交換器５１ａと第２室内熱交換器５１ｂが蒸発器として機能する。
【００４１】
圧縮機２１から吐出された高圧の冷媒は、吐出管４１から四方弁２２を介して冷媒配管４３に流入し、冷媒配管４３から室外熱交換器２３に流入する。冷媒配管４３から室外熱交換器２３に流入した冷媒は、室外ファン２７の回転により室外機２の内部に取り込まれた外気と熱交換を行って凝縮する。室外熱交換器２３から流出した冷媒は、室外気液管４５を流れて室外膨張弁２４を通過して減圧された後、液側閉鎖弁２８を介して液管８に流入する。液管８に流入した冷媒は液側閉鎖弁５３を介して室内機５に流入する。
【００４２】
室内機５に流入した冷媒は、室内機液管７１に流入した後分岐して第１液分管７３ａと第２液分管７３ｂにそれぞれ流入する。第１液分管７３ａに流入した冷媒は第１室内熱交換器５１ａに流入し、第２液分管７３ｂに流入した冷媒は第２室内熱交換器５１ｂに流入する。第１室内熱交換器５１ａおよび第２室内熱交換器５１ｂに流入した冷媒は、室内ファン５５の回転により吸込口８１から取り込まれた室内空気と熱交換を行って蒸発する。このように、第１室内熱交換器５１ａと第２室内熱交換器５１ｂが蒸発器として機能し、冷媒と熱交換を行って冷やされた室内空気が第１吹出口８２ａおよび第２吹出口８２ｂから室内機５が設置されている部屋に吹き出されることによって冷房運転が行われる。
【００４３】
第１室内熱交換器５１ａから流出した冷媒は第１ガス分管７４ａに流入し、第２室内熱交換器５１ｂから流出した冷媒は合流して第２ガス分管７４ｂに流入する。第１ガス分管７４ａと第２ガス分管７４ｂに流入した冷媒は室内機ガス管７２に流入し、ガス側閉鎖弁５４介してガス管９に流入する。ガス管９からガス側閉鎖弁２８を介して室外機２に流入した冷媒は、室外機ガス管４４を流れて四方弁２２に流入し四方弁２２から吸入管４２へと流れ、圧縮機２１に吸入されて再び圧縮される。
【００４４】
尚、室内機５が暖房運転を行う場合、つまり、冷媒回路１０が暖房サイクルとなる場合は、室外機２では、四方弁２２が破線で示す状態、すなわち、四方弁２２のポートａとポートｂとが連通するよう、また、ポートｄとポートｃとが連通するよう、切り換えられる。これにより、室外熱交換器２３が蒸発器として機能するとともに、第１室内熱交換器５１ａと第２室内熱交換器５１ｂが凝縮器として機能する。
【００４５】
次に、図１〜図５を用いて、本実施形態の空気調和装置１が除湿運転を行っているときの制御について詳細に説明する。
【００４６】
尚、本実施形態の空気調和装置１が行う除湿運転は弱冷房除湿とする。弱冷房除湿とは、冷房運転時に比べて圧縮機２１の回転数と室内ファン５５の回転数を低減させた除湿運転である。弱冷房除湿では、室温が目標温度となるように運転する。室温が目標温度以下になると、圧縮機を停止してサーモオフ状態となる。サーモオフ状態になると除湿が行われなくなるが、室温が目標温度を超えたら再び圧縮機を起動して除湿を再開する。室温を検出する室温センサは通常、室内機の吸込口に設けられており、サーモオフ状態の時でも当該室温センサが正確な室温を検出するために室内ファンを駆動させておく必要がある。
【００４７】
そのため、除湿中に熱交換器に付着した空気中の水分がサーモオフ状態になってから気化し、室内ファンの気流に乗って室内空間に吹出されてしまい、湿気戻り、つまり、室内湿度が上昇しユーザが不快に感じるという問題が生じる。
【００４８】
尚、以下の説明では、室内温度センサ６２で検出する室内温度をＴｉ、予めユーザ等により設定された室内温度の目標値である設定温度をＴｓｔとする。
【００４９】
そこで、本発明では、除湿運転中に室内熱交換器の一部（第１室内熱交換器５１ａと第２室内熱交換器５１ｂの何れか一つ）に冷媒を流さないようにして、サーモオフ状態となったら当該冷媒を流さなかった室内熱交換器の一部にのみ風が通過するようにしている。
【００５０】
以下、図１〜５を用いて本発明に関わる処理について詳細に説明する。尚、図５に示すフローチャートでは、ＳＴは処理のステップを表し、これに続く数字はステップ番号を表している。また、図５では、本発明に関わる処理を中心に説明しており、空気調和装置１が冷房運転や暖房運転を行うときの処理や、使用者の指示した設定温度や風量などの運転条件に対応した冷媒回路１０の制御、等といった一般的な処理については説明を省略する。
【００５１】
図５のフローチャートによる処理は、ユーザによるリモコン操作等によって除霜運転が開始された場合に行うものである。除霜運転が開始されると、ＣＰＵ２１０は、圧縮機２１の回転数が所定の回転数となるように、室内ファン５５の回転数が所定の低回転数となるようにそれぞれ制御する（ＳＴ１）。圧縮機２１の所定の回転数は、第２室内熱交換器５１ｂの温度が室内空気の除湿に必要な温度となるために必要な回転数であり、試験等により予め定められ記憶部２２０に記憶されている。圧縮機２１の所定の回転数は固定値であってもよいし、室内温度と設定温度との差に応じて変更するようにしてもよい。室内ファン５５の所定の低回転数とは、除湿運転時に室内熱交換器５１に室内空気を送るために最低限必要な回転数であって、冷房運転時と比べて低い回転数であり、予め定められ記憶部２２０に記憶されている。尚、このとき、第１風向板８３ａ及び第２風向板８３ｂは開状態となっている。
【００５２】
ステップＳＴ１の処理を終えたＣＰＵ２１０は、電磁弁５６ａ、５７ａを閉じる制御を行う（ＳＴ２）。電磁弁５６ａ、５７ａを閉じることによって、第１室内熱交換器５１ａに冷媒が流入しなくなる。冷媒が第１室内熱交換器５１ａに流れないと、第１室内熱交換器５１ａでは除湿を行わないので、第１室内熱交換器５１ａの表面に凝縮水が付着しない。尚、電磁弁５６ｂ、５７ｂは開いているので、第２室内熱交換器５１ｂには冷媒が流れており、除湿が行われる。このときの室内機５の内部の空気の流れを図４（Ａ）に示す。室内ファン５５から流出し第１吹出経路９２ａを流れる空気は、第１室内熱交換器５１ａを通過して吹出口８２ａへと流れる。第１室内熱交換器５１ａは冷媒が流れているので、第１室内熱交換器５１ａを通過した空気は除湿され、第１室内熱交換器５１ａの表面には凝縮水が付着する。凝縮水は熱交換器の重力方向下側に位置する図示しないドレンパンに滴下して排出される。室内ファン５５から流出し第２吹出経路９２ｂを流れる空気は、第２室内熱交換器５１ｂを通過して第２吹出口８２ｂへと流れる。第１室内熱交換器５１ａは冷媒が流れていないので、第１室内熱交換器５１ａを通過した空気は除湿されず、第１室内熱交換器５１ａの表面には凝縮水が付着しない。
【００５３】
ステップＳＴ２の処理を終えたＣＰＵ２１０は、室内温度Ｔｉが設定温度Ｔｓｔ以下か否かを判定する（ＳＴ３）。室内温度Ｔｉが設定温度Ｔｓｔ以下であれば（ＳＴ３−ＹＥＳ）、ＣＰＵ２１０は、圧縮機２１を停止し、且つ、室内ファン５５の回転数を極低回転数となるように制御、すなわち、サーモオフ状態にする（ＳＴ４）。極低回転数とは、吸込口８１付近に設けられた室内温度センサ６２が正確な温度させるため、吸込口８１付近の空気を循環させるのに必要な回転数である。室内温度Ｔｉが設定温度Ｔｓｔより高い場合（ＳＴ３−ＮＯ）、ステップＳＴ６に移行する。ステップＳＴ６では、ＣＰＵ２１０は、圧縮機２１が停止しているか否かを判定し、圧縮機２１が停止していなければ（ＳＴ６−ＮＯ）、ステップＳＴ７へ移行する。
【００５４】
ステップＳＴ４の処理を終えたＣＰＵ２１０は、第２吹出口８２ｂが閉状態となるように第２風向板８３ｂを制御する（ＳＴ５）。第２風向板８３ｂが設けられている第２吹出口８２ｂは、第２室内熱交換器５１ｂが設けられている第２吹出経路９２ｂに接続されている。そのため、図４（Ｂ）に示すように、第２吹出口８２ｂを閉塞することで、第２吹出経路９２ｂ内の第１室内熱交換器５１ａに付着していた凝縮水によって湿った空気が室内空間へ吹き出されなくなり、湿気戻りを抑制することができる。
【００５５】
尚、第１吹出口８２ａは開状態を維持するように第１風向板８３ａは制御されている。第１風向板８３ａが設けられている第１吹出口８２ａは、第１室内熱交換器５１ａが設けられている第１吹出経路９２ａに接続されている。図４（Ｂ）に示すように、第１吹出口８２ａが開状態となっていることで、第２吹出口８２ｂが閉塞されていても室内ファン５５から流出した空気の出口が確保されるので、サーモオフ状態中常に吸込口８１において空気が循環する。これによって、吸込口８１付近に設けられた室内温度センサ６２が正確な温度を検出できる。
【００５６】
ステップＳＴ５の処理を終えたＣＰＵ２１０は、除湿運転を終了する指令を受けているか否かを判定し（ＳＴ７）、除湿運転を終了する指令を受けていれば（ＳＴ７−ＹＥＳ）除湿運転を終了し、除湿運転を終了する指令を受けていなければ（ＳＴ７−ＮＯ）ステップＳＴ３に処理を戻し、サーモオフ状態で室内温度Ｔｉが設定温度Ｔｓｔより高い場合は（ＳＴ３−ＮＯ、ＳＴ６−ＹＥＳ）、ステップＳＴ２の処理に戻り圧縮機２１を起動する、すなわち、サーモオン状態とする。
【００５７】
以上説明した実施形態によれば、除湿運転におけるサーモオフ中の湿気戻りを抑制することができる。なお、本実施形態では、除湿運転時に第１室内熱交換器５１ａに冷媒を流さず、第２室内熱交換器５１ｂにのみ冷媒を流すようにしていたが、除湿運転時に第２室内熱交換器５１ｂに冷媒を流さず、第１室内熱交換器５１ａにのみ冷媒を流すようにしても良い。この場合、第１吹出口８２ａを閉塞する。第１室内熱交換器５１ａと第２室内熱交換器５１ｂをどのように割り当てるかは、室内機５の据付位置等を考慮してユーザが予め設定可能にできることが好ましい。したがって、ＣＰＵ２１０は図２に示すとおり、第１室内熱交換器５１ａと第２室内熱交換器５１ｂを切り替える切替手段２４０を備えてもよい。切替手段２４０は、例えばユーザによるリモコン操作等を起点として動作する。ただし、除湿運転中に切替手段２４０を動作させた場合は、既に一方の室内熱交換器５１に凝縮水が付着しているため、次回の除湿運転時から反映するものとする。
【００５８】
尚、本実施形態では、天井埋め込み型の室内機を例として説明したが、吹出口を２つ以上有するものであれば良く、本実施形態に限定されない。例えば、図６に示すように上下に二つの吹出口８２ａ、８２ｂを備え、各吹出口に対応してそれぞれ室内ファン８４ａ、８４ｂを備える床置き型の室内機５であっても本発明を適用できる。図６（Ｂ）は、図６（Ａ）に示す床置き型室内機５のＡ−Ａ’断面図である。図６（Ｂ）に示すように、室内機５の通風経路９０には空気流通方向の上流側から下流側にかけて室内熱交換器５１ａ、５１ｂ、室内ファン８４ａ、８４ｂの順に配置されている。このような形態であって、除湿運転時に室内熱交換器５１ｂにのみ冷媒を流していた場合、サーモオフ状態中は室内ファン８４ａだけ極低回転で駆動させ、室内ファン８４ａは駆動させないようにすれば、室内熱交換器５１ａに付着していた凝縮水によって湿った空気が室内空間へ吹き出されなくなり、湿気戻りを抑制することができる。
【符号の説明】
【００５９】
１  空気調和装置
２  室外機
５  室内機
８  液管
２３  室外熱交換器
２４  室外膨張弁
【図１】
2017155953.tif 000003
【図２】
2017155953.tif 000004
【図３】
2017155953.tif 000005
【図４】
2017155953.tif 000006
【図５】
2017155953.tif 000007
【図６】
2017155953.tif 000008